【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
フォームデータ中に配置すべきデータフィールドを決定するための使用条件を、複数のデータフィールドのそれぞれに対して設定する第１設定手段と、
前記フォームデータに流し込むべく入力されるコンテンツデータの項目識別情報と、前記第１設定手段によって設定された各データフィールドの使用条件とに従って、前記フォームデータに配置すべきデータフィールドを選択する選択手段と、
前記選択手段によって選択されたデータフィールドを前記フォームデータに配置する配置手段と、
前記配置手段によって前記フォームデータに配置されたデータフィールドに対して前記コンテンツデータを流し込むことにより出力結果を出力する出力手段を有することを特徴とする情報処理装置。
【請求項２】
前記選択手段は、レコードに含まれる各コンテンツデータに対応する項目識別情報に基づいて、前記各コンテンツデータが流し込まれるデータフィールドを選択することを特徴とする請求項１に記載の情報処理装置。
【請求項３】
前記フォームデータに対して、前記データフィールドを配置するための領域と、当該領域に対して前記選択手段によって選択されたデータフィールドの配置位置を決定するための配置属性とを設定する第２設定手段を更に有し、
前記配置手段は、前記第２設定手段によって設定された領域内に前記選択されたデータフィールドを配置すべく、前記設定された配置属性に従って当該データフィールドを配置することを特徴とする請求項１または２に記載の情報処理装置。
【請求項４】
前記第１設定手段は、前記データフィールドに前記コンテンツデータを流し込んで前記出力結果を出力する際に、どのように出力するかを示す出力属性を設定し、
前記出力手段は、前記選択されたデータフィールドにコンテンツデータを流し込み、かつ、前記出力属性に従って前記フォームデータを出力することを特徴とする請求項１乃至３のいずれか１項に記載の情報処理装置。
【請求項５】
前記選択手段によって選択されたデータフィールドを、前記第２設定手段によって設定された領域に配置可能か否かを判定する判定手段を更に有し、
前記判定手段により、前記選択されたデータフィールドを配置できないと判定された場合、前記配置手段は、前記データフィールドのサイズを変更して配置することを特徴とする請求項３または４に記載の情報処理装置。
【請求項６】
前記コンテンツデータにおける特定のデータ項目のデータ値が変化した場合、前記コンテンツデータの指定されたデータ項目において当該変化が発生するまでのデータ値を集計する集計手段と、
前記集計手段による集計処理を実行するための条件を設定する集計条件設定手段とを更に有し、
前記集計手段は、前記コンテンツデータに含まれる項目識別情報の組み合わせが前記集計条件設定手段によって設定された条件に合致する場合、前記集計処理を実行することを特徴とする請求項１乃至５のいずれか１項に記載の情報処理装置。
【請求項７】
フォームデータ中に配置すべきデータフィールドを決定するための使用条件を、複数のデータフィールドのそれぞれに対して設定する第１設定工程と、
前記フォームデータに流し込むべく入力されるコンテンツデータの項目識別情報と、前記第１設定工程によって設定された各データフィールドの使用条件とに従って、前記フォームデータに配置すべきデータフィールドを選択する選択工程と、
前記選択工程によって選択されたデータフィールドを前記フォームデータに配置する配置工程と、
前記配置工程によって前記フォームデータに配置されたデータフィールドに対して前記コンテンツデータを流し込むことにより出力結果を出力する出力工程を有することを特徴とする情報処理方法。
【請求項８】
前記選択工程は、レコードに含まれる各コンテンツデータに対応する項目識別情報に基づいて、前記各コンテンツデータが流し込まれるデータフィールドを選択することを特徴とする請求項７に記載の情報処理方法。
【請求項９】
前記フォームデータに対して、前記データフィールドを配置するための領域と、当該領域に対して前記選択工程によって選択されたデータフィールドの配置位置を決定するための配置属性とを設定する第２設定工程を更に有し、
前記配置工程は、前記第２設定工程によって設定された領域内に前記選択されたデータフィールドを配置すべく、前記設定された配置属性に従って当該データフィールドを配置することを特徴とする請求項７または８に記載の情報処理方法。
【請求項１０】
前記第１設定工程は、前記データフィールドに前記コンテンツデータを流し込んで前記出力結果を出力する際に、どのように出力するかを示す出力属性を設定し、
前記出力工程は、前記選択されたデータフィールドにコンテンツデータを流し込み、かつ、前記出力属性に従って前記フォームデータを出力することを特徴とする請求項７乃至９のいずれか１項に記載の情報処理方法。
【請求項１１】
前記選択工程によって選択されたデータフィールドを、前記第２設定工程によって設定された領域に配置可能か否かを判定する判定工程を更に有し、
前記判定工程により、前記選択されたデータフィールドを配置できないと判定された場合、前記配置工程は、前記データフィールドのサイズを変更して配置することを特徴とする請求項９または１０に記載の情報処理方法。
【請求項１２】
前記コンテンツデータにおける特定のデータ項目のデータ値が変化した場合、前記コンテンツデータの指定されたデータ項目において当該変化が発生するまでのデータ値を集計する集計工程と、
前記集計工程による集計処理を実行するための条件を設定する集計条件設定工程とを更に有し、
前記集計工程は、前記コンテンツデータに含まれる項目識別情報の組み合わせが前記集計条件設定工程によって設定された条件に合致する場合、前記集計処理を実行することを特徴とする請求項７乃至１１のいずれか１項に記載の情報処理方法。
【請求項１３】
フォームデータ中に配置すべきデータフィールドを決定するための使用条件を、複数のデータフィールドのそれぞれに対して設定する第１設定工程と、
前記フォームデータに流し込むべく入力されるコンテンツデータの項目識別情報と、前記第１設定工程によって設定された各データフィールドの使用条件とに従って、前記フォームデータに配置すべきデータフィールドを選択する選択工程と、
前記選択工程によって選択されたデータフィールドを前記フォームデータに配置する配置工程と、
前記配置工程によって前記フォームデータに配置されたデータフィールドに対して前記コンテンツデータを流し込むことにより出力結果を出力する出力工程をコンピュータに実行させるための前記コンピュータに読み取り可能な情報処理プログラム。
【請求項１４】
前記選択工程は、レコードに含まれる各コンテンツデータに対応する項目識別情報に基づいて、前記各コンテンツデータが流し込まれるデータフィールドを選択することを特徴とする請求項１３に記載の情報処理プログラム。
【請求項１５】
前記フォームデータに対して、前記データフィールドを配置するための領域と、当該領域に対して前記選択工程によって選択されたデータフィールドの配置位置を決定するための配置属性とを設定する第２設定工程を更に有し、
前記配置工程は、前記第２設定工程によって設定された領域内に前記選択されたデータフィールドを配置すべく、前記設定された配置属性に従って当該データフィールドを配置することを特徴とする請求項１３または１４に記載の情報処理プログラム。
【請求項１６】
前記第１設定工程は、前記データフィールドに前記コンテンツデータを流し込んで前記出力結果を出力する際に、どのように出力するかを示す出力属性を設定し、
前記出力工程は、前記選択されたデータフィールドにコンテンツデータを流し込み、かつ、前記出力属性に従って前記フォームデータを出力することを特徴とする請求項１３乃至１５のいずれか１項に記載の情報処理プログラム。
【請求項１７】
前記選択工程によって選択されたデータフィールドを、前記第２設定工程によって設定された領域に配置可能か否かを判定する判定工程を更に有し、
前記判定工程により、前記選択されたデータフィールドを配置できないと判定された場合、前記配置工程は、前記データフィールドのサイズを変更して配置することを特徴とする請求項１５または１６に記載の情報処理プログラム。
【請求項１８】
前記コンテンツデータにおける特定のデータ項目のデータ値が変化した場合、前記コンテンツデータの指定されたデータ項目において当該変化が発生するまでのデータ値を集計する集計工程と、
前記集計工程による集計処理を実行するための条件を設定する集計条件設定工程とを更に有し、
前記集計工程は、前記コンテンツデータに含まれる項目識別情報の組み合わせが前記集計条件設定工程によって設定された条件に合致する場合、前記集計処理を実行することを特徴とする請求項１３乃至１７のいずれか１項に記載の情報処理プログラム。
【手続補正２】
【補正対象書類名】明細書
【補正対象項目名】０００８
【補正方法】変更
【補正の内容】
【０００８】
上述した課題を解決するために本発明は、前記フォームデータ中に配置すべきデータフィールドを決定するための使用条件を、複数のデータフィールドのそれぞれに対して設定する第１設定手段と、前記フォームデータに流し込むべく入力されるコンテンツデータの項目識別情報と、前記第１設定手段によって設定された各データフィールドの使用条件とに従って、前記フォームデータに配置すべきデータフィールドを選択する選択手段と、
前記選択手段によって選択されたデータフィールドを前記フォームデータに配置する配置手段と、前記配置手段によって前記フォームデータに配置されたデータフィールドに対して前記コンテンツデータを流し込むことにより出力結果を出力する出力手段を有することを特徴とする。